(57)【要約】【課題】小型白熱灯用のソケットを有する既存の薄型の照明器具の簡単に光源を交換でき、且つ所定の方向を照明できる照明器具を提供する。【解決手段】照明器具１０に取り付けられている小型白熱灯用のソケット２１に取付部３２を嵌合させて、取付部３２の嵌合部３２１を商用電源に接続して電力の供給を受ける。嵌合部３２１に供給された電力は、電線部３２２を介して電源部３３に供給され、ＬＥＤ３１１を内蔵した点灯部３１を点灯させる。このとき、電線部３２２を設けたことにより電源部３３の方向を容易に調整できるので、ソケット２１の取付方向にかかわらず電源部３３を所望の方向へ取り付けることができ、点灯部３１により照明方向を所定の方向へ向けることができる。【選択図】図１
2011028982.tif 000002
【特許請求の範囲】
【請求項１】
小型白熱灯の口金が装着可能なソケットを有する照明器具であって、
ＬＥＤを内蔵した点灯部と、
前記ソケットに嵌合して商用電源と導通する取付部と、
前記取付部により得られた電力を調整して前記点灯部を点灯させる電源部と、を有し、
前記取付部は、前記ソケットに嵌合する嵌合部と、前記嵌合部と前記電源部とを接続する電線部と、を有することを特徴とする照明器具。
【請求項２】
前記電線部は、前記嵌合部に対して旋回可能であることを特徴とする請求項１記載の照明器具。
【請求項３】
前記嵌合部は、前記ソケットに差し込むことにより前記商用電源と導通する電気接続部と、前記電気接続部が前記ソケットに差し込まれた状態を保持するロック手段と、を有することを特徴とする請求項２記載の照明器具。
【請求項４】
前記点灯部と前記電源部とは分離交換が可能であることを特徴とする請求項１ないし請求項３のいずれかに記載の照明器具。
【発明の詳細な説明】
【技術分野】
【０００１】
本発明は、省エネ化のために容易に光源を変更することができる照明器具に関するものである。
【背景技術】
【０００２】
従来の白熱灯を光源として用いている照明器具には、容易に光源を変更できるものがある（例えば特許文献１参照）。
以下、図８により従来の照明器具について説明する。
図８に示すように、車両用灯具１００は、灯具ハウジングに取り付けられた白熱バルブソケット１０１に、光源としての白熱バルブ１０２を取り付けて使用されている。そして、この白熱バルブ１０２に代えて、ＬＥＤ基板１０４に多数のＬＥＤ１０３を搭載したＬＥＤランプ１０８を光源として用いることにより、省エネ化を図っている。
【０００３】
ＬＥＤ基板１０４から延びる配線コード１０５の先端には、白熱バルブ１０２の円筒状口金１０７と略同形状の端子部材１０６が設けられており、端子部材１０６は白熱バルブソケット１０１に着脱自在且つロック可能に嵌合する。このため、光源をＬＥＤランプ１０８に容易に交換することができる。
【先行技術文献】
【特許文献】
【０００４】
【特許文献１】特開２０００−１００２１８号公報（第１図）
【発明の概要】
【発明が解決しようとする課題】
【０００５】
ところで、一般家庭等の商用電源により点灯させる小型白熱灯を用いた薄型の照明器具においては、小型白熱灯を斜めに配置して薄型化を図っている場合が多い。このような照明器具において、小型白熱灯を蛍光灯やＬＥＤ電球等に変更するには、スペースが足りず困難である。また、変更できた場合でも、照射方向が元の小型白熱灯と大きく異なるという問題がある。
【０００６】
本発明は、従来の問題を解決するためになされたもので、小型白熱灯用のソケットを有する既存の薄型の照明器具の光源を簡単に交換でき、且つ所定の方向を照明できる照明器具を提供することを目的とする。
【課題を解決するための手段】
【０００７】
本発明の照明器具は、小型白熱灯の口金が装着可能なソケットを有する照明器具であって、ＬＥＤを内蔵した点灯部と、前記ソケットに嵌合して商用電源と導通する取付部と、  前記取付部により得られた電力を調整して前記点灯部を点灯させる電源部と、を有し、前記取付部は、前記ソケットに嵌合する嵌合部と、前記嵌合部と前記電源部とを接続する電線部と、を有する構成を有している。
【０００８】
この構成により、照明器具に取り付けられている小型白熱灯用のソケットに取付部を嵌合させて、取付部の嵌合部を商用電源に接続して電力の供給を受ける。嵌合部に供給された電力は、電線部を介して電源部に供給され、ＬＥＤを内蔵した点灯部を点灯させる。このとき、電線部を設けたことにより電源部の方向を容易に調整できるので、ソケットの取付方向にかかわらず電源部を所望の方向へ取り付けることができ、点灯部により照明方向を所定の方向へ向けることができる。
【０００９】
また、本発明の照明器具では、前記電線部は、前記嵌合部に対して旋回可能である構成を有している。
【００１０】
この構成により、電線部は嵌合部に対して旋回可能なので、ソケットの取付方向にかかわらず電源部を所望の方向へ取り付けることができ、点灯部により照明方向を所定の方向へ向けることができる。
【００１１】
また、本発明の照明器具では、前記嵌合部は、前記ソケットに差し込むことにより前記商用電源と導通する電気接続部と、前記電気接続部が前記ソケットに差し込まれた状態を保持するロック手段と、を有する構成を有している。
【００１２】
この構成により、嵌合部をソケットに差し込むと、電気接続部が商用電源と導通するとともに、ロック手段が電気接続部の脱落を防止するので、確実に商用電源から電力の供給を受けることができる。
【００１３】
さらに、本発明の照明器具は、前記点灯部と前記電源部とは分離交換が可能である構成を有している。
【００１４】
この構成により、点灯部と電源部とが分離交換が可能なので、点灯部の故障や寿命の際や、照明光の質を変える際に、容易に点灯部を交換できる。
【発明の効果】
【００１５】
本発明は、照明器具に取り付けられている小型白熱灯用のソケットに取付部を嵌合させて、取付部の嵌合部を商用電源に接続して電力の供給を受ける。嵌合部に供給された電力は、電線部を介して電源部に供給され、ＬＥＤを内蔵した点灯部を点灯させる。このとき、電線部を設けたことにより電源部の方向を容易に調整できるので、ソケットの取付方向にかかわらず電源部を所望の方向へ取り付けることができ、点灯部により照明方向を所定の方向へ向けることができるという効果を有する照明器具を提供できる。
【図面の簡単な説明】
【００１６】
【図１】（Ａ）は本発明に係る実施形態の照明器具を示す下方から見た正面図、（Ｂ）は（Ａ）中Ｂ−Ｂ位置の断面図
【図２】（Ａ）は白熱灯を装着した状態を示す既存の照明器具を示す下方から見た正面図、（Ｂ）は（Ａ）中Ｂ−Ｂ位置の断面図
【図３】（Ａ）は点灯ユニット取付用金具の正面図、（Ｂ）は（Ａ）中Ｂ方向から見た内面図、（Ｃ）は（Ａ）中Ｃ方向から見た平面図
【図４】点灯ユニットの側面図
【図５】図４中Ｖ方向から見た取付バネの正面図
【図６】（Ａ）は嵌合部の断面図、（Ｂ）は（Ａ）中Ｂ方向から見た側面図
【図７】（Ａ）および（Ｂ）は嵌合部の取付を示す工程図
【図８】従来の照明器具の分解斜視図
【発明を実施するための形態】
【００１７】
以下、本発明の実施形態の照明器具について、図面を用いて説明する。
図１に示すように、本発明に係る実施形態の照明器具１０は、例えば天井１１に設けられた開口１１１に埋め込んで下方を照明するダウンライトとして使用することができる。照明器具１０には、図２に示すような、小型白熱灯１３を用いた既存のダウンライト１２を用いることができる。
【００１８】
図１に示すように、照明器具１０は、逆Ｕ字形状の断面を有する有底円筒形状の器具本体２０を有しており、器具本体２０の上部には、小型白熱灯１３の口金１３１（図２参照）が装着可能なソケット２１を有する。器具本体２０の下部の開口２０２の外周には、器具本体２０を取付けた際に、天井面１１に下側から当接するリング状の化粧板２０３を有する。
【００１９】
なお、図２に示すように、既存のダウンライト１２では、器具本体２０の天板２０１に、小型白熱灯１３の照明光を所定の方向へ反射するために例えば放物面等の反射面を有する反射板１４が、ネジ２３によって着脱可能に取り付けられている。また、小型白熱灯１３を斜めに装着することにより照明器具１０の薄型化を図っているため、ソケット２１は反射板１４を貫通して、器具本体２０に対して斜めに取り付けられている。
【００２０】
図１に示すように、器具本体２０の天板２０１には取付板２２が外側へ張り出して取り付けられており、取付板２２の下面には、商用電源に接続される端子台１５が取り付けられている。ソケット２１は電線１５１を介して端子台１５に接続されており、ソケット２１は商用電源から電力の供給を受ける。器具本体２０の天板２０１中央から内部に向けてネジ２３が取り付けられており、このネジ２３の下端部には、後述する点灯ユニット３０を器具本体２０の内部に取付けるための点灯ユニット取付用金具２４が取り付けられる。
【００２１】
図３に示すように、点灯ユニット取付用金具２４は、所定幅を有する断面逆Ｕ字形状をしており、天板２４１の中央にはネジ２３が貫通するネジ孔２４２が設けられている。点灯ユニット取付用金具２４の対向する側壁内面には、点灯ユニット３０を保持するために各々一対の係止突起２４３、２４３が設けられている（図３（Ｂ）参照）。一対の係止突起２４３、２４３は、両係止突起２４３の上側の間隔が広く、下側の間隔が狭くなるように傾斜して設けられている。係止突起２４３は、点灯ユニット取付用金具２４を切起こして設けることができる。
【００２２】
なお、点灯ユニット取付用金具２４は器具本体２０の内部に設けられるので、器具本体２０に取り付けられているソケット２１との干渉を回避する方向に取り付けられており、ソケット２１は点灯ユニット取付用金具２４の内部に突出している。
【００２３】
図４に示すように、点灯ユニット３０は、複数個のＬＥＤ３１１（図１参照）を内蔵した点灯部３１と、ソケット２１に嵌合して商用電源と導通する取付部３２と、取付部３２により得られた電力を調整して点灯部３１を点灯させる電源部３３と、を有する。
【００２４】
図1に示すように、点灯部３１は、円板３１２の下面に複数個（ここでは、例えば６個）のＬＥＤ３１１が露出して取付けられている。点灯部３１は通常電源部３３と一体として取り扱うことができるが、ＬＥＤ３１１等に故障が生じた際には、点灯部３１を電源部３３から取り外して交換することができる。
【００２５】
図４に示すように、電源部３３は円筒形状の筐体３３１を有し、点灯部３１を保持するとともに導通して電力を供給する。例えば、商用電源である交流１００Ｖを、整流および降圧して所定の電圧の直流を点灯部３１に供給してＬＥＤ３１１を点灯させる。筐体３３１の天板３３２の中心には、電線部３２２の一端が取付けられている。天板３３２の外周縁には、天板３３２の中心に対して点対称の位置に一対の取付バネ３４が上方に向かって取付けられている。また、電源部３３の下部外周縁から、下方外側へ延びるリング状の枠３５が設けられている。この枠は、点灯ユニット３０を器具本体２０に取付ける際に、器具本体２０の化粧板２０３に当接して、位置決めを行う。
【００２６】
図５に示すように、取付バネ３４は、棒状部材を全体ひし形に折り曲げて形成されている。取付バネ３４の全体幅Ｂ１は、点灯ユニット取付用金具２４の一対の係止突起２４３、２４３の間隔Ｂ２（図３（Ｂ）参照）よりも大きい。また、取付バネ３４の折り曲げ点３４１は、なだらかな曲線状とするのが望ましい。
【００２７】
図４に示すように、取付部３２は、ソケット２１に嵌合する嵌合部３２１と、この嵌合部３２１と電源部３３とを接続する電線部３２２とを有し、電線部３２２は嵌合部３２１に対して旋回可能に接続されている。図６に示すように、嵌合部３２１は、ソケット２１に差し込むことにより商用電源と導通する電気接続部３２３と、この電気接続部３２３がソケット２１に差し込まれて導通した状態を保持するロック手段３２４と、を有する。
【００２８】
電気接続部３２３は、円板状の嵌合部ベース３２６の中心に突設された円柱形状をしており、中心に導体部３２５を有する。導体部３２５の先端が、ソケット２１の端子２１１（図７参照）に接触して導通する。
【００２９】
ロック手段３２４は、嵌合部ベース３２６の外周縁から突出して設けられた一対のアーム部材３２７を有し、各アーム部材３２７には外周面に係止凹凸３２９を有するロック部材３２８が一体的に取付けられている。アーム部材３２７は、先端が図６（Ａ）中Ａ方向へ弾性変形可能となっており、アーム部材３２７の変形に伴って、ロック部材３２８はＡ方向へ変形可能となっている。ロック部材３２８の係止凹凸３２９は、ソケット２１の内面に設けられ、小型白熱灯１３の口金１３１のネジ部が嵌合するネジ端子２１１（図７参照）に嵌合可能となっている。
【００３０】
次に、点灯ユニット３０の交換作業について説明する。
まず、既存の照明器具（ダウンライト１２）から小型白熱灯１３を取り外し、ネジ２３を緩めて反射板１４を取り外す。器具本体２０は天井１１等に取付けた状態である。
【００３１】
次いで、取付部３２の嵌合部３２１をソケット２１に接続する。図７（Ａ）に示すように、嵌合部３２１の一対のアーム部材３２７、３２７を指でつまんで接近させ（図７（Ａ）中矢印Ａ方向）、一対のロック部材３２８、３２８を接近させる。ロック部材３２８をソケット２１の内部に挿入して、電気接続部３２３の導体部３２５の先端をソケット２１の端子２１１に押し付ける。この状態で、指の力を弱めてアーム部材３２７およびロック部材３２８を開き、ロック部材３２８の係止凹凸３２９をソケット２１のネジ端子２１２に嵌合させてロックする。これにより、図７（Ｂ）に示すように、嵌合部３２１はソケット２１に導通状態で保持される。なお、嵌合部３２１をソケット２１から取り外す際は、アーム部材３２７、３２７を指でつまんで、ソケット２１から引き抜く。
【００３２】
次に、点灯ユニット取付金具２４を器具本体２０の内部に収容し、ネジ２３をネジ孔２４２に通してナット２３１で止めて、点灯ユニット取付金具２４を器具本体２０の内部に固定する。
次いで、点灯ユニット３０の取付バネ３４を、点灯ユニット取付金具２４の内面に設けられている一対の係止突起２４３、２４３間に位置決めして下側から押し込む。点灯ユニット３０の枠３５が器具本体２０の化粧板２０３に当接するまで点灯ユニット３０を点灯ユニット取付金具２４の内側へ押し込むと、取付バネ３４は係止突起２４３によって一旦内側に変形し、取付バネ３４の折り曲げ点３４１が係止突起２４３を通過すると取付バネ３４が拡がって、点灯ユニット３０を固定する。
【００３３】
以上、説明した実施形態に係る照明器具１０によれば、嵌合部３２１に供給された電力は、電線部３２２を介して電源部３３に供給され、ＬＥＤ３１１を内蔵した点灯部３１を点灯させる。このとき、電線部３２２を設けたことにより電源部３３の方向を容易に調整できるので、ソケット２１の取付方向にかかわらず電源部３３を所望の方向へ取り付けることができ、点灯部３１により照明方向を所定の方向へ向けることができる。
【００３４】
また、電線部３２２は嵌合部３２１に対して旋回可能なので、ソケット２１の取付方向にかかわらず電源部３３を所望の方向へ取り付けることができ、点灯部３１により照明方向を所定の方向へ向けることができる。
【００３５】
また、嵌合部３２１をソケット２１に差し込むと、電気接続部３２３が商用電源と導通するとともに、ロック手段３２４が電気接続部３２３の脱落を防止するので、確実に商用電源から電力の供給を受けることができる。
【００３６】
さらに、点灯部３１は電源部３３から分離交換が可能なので、点灯部３１の故障や寿命の際や、照明光の質を変える際に、容易に点灯部３１を交換できる。
【００３７】
なお、本発明の照明器具は、前述した実施形態に限定されるものでなく、適宜な変形，改良等が可能である。
【符号の説明】
【００３８】
１０  照明器具
１３  小型白熱灯
２１  ソケット
３１  点灯部
３２  取付部
３３  電源部
３１１  ＬＥＤ
３２１  嵌合部
３２２  電線部
３２３  電気接続部
３２４  ロック手段
【図１】
2011028982.tif 000003
【図２】
2011028982.tif 000004
【図３】
2011028982.tif 000005
【図４】
2011028982.tif 000006
【図５】
2011028982.tif 000007
【図６】
2011028982.tif 000008
【図７】
2011028982.tif 000009
【図８】
2011028982.tif 000010